(57)【要約】【課題】テープ引出し用開口部を側壁に備えた、上ケースおよび下ケースからなるカートリッジケース内に磁気テープを巻装した単一のリールが回動可能に収容された磁気テープカートリッジにおいて、落下等の衝撃を受けたときでも、カートリッジケースのテープ引出し用開口部の近辺が損傷することのないように強度を向上させる。【解決手段】上下ケース２，３の突合せ面Ｐを溶着し、かつ開口部近傍の上下ケース２，３の側壁内面２ｂ，３ｂに、突合せ面Ｐを越えて上下方向に延びるリブ１２，１３を互い違いに設ける。【選択図】　　　　　図４
2004086946.tif 000002
【特許請求の範囲】
【請求項１】
テープ引出し用開口部を側壁に備えた、上ケースおよび下ケースからなるカートリッジケース内に磁気テープを巻装した単一のリールが回動可能に収容された磁気テープカートリッジにおいて、
前記上下ケースの突合せ面を溶着し、かつ前記開口部近傍の上下ケースの側壁内面に、前記突合せ面を越えて上下方向に延びるリブを互い違いに設けたことを特徴とする磁気テープカートリッジ。
【請求項２】
前記リブが、前記上下ケースの一方に１本、他方に該１本を挟むように２本設けられていることを特徴とする請求項１記載の磁気テープカートリッジ。
【請求項３】
前記リブが、隣接するリブの側面同士で溶着されていることを特徴とする請求項１または２記載の磁気テープカートリッジ。
【請求項４】
前記リブが、前記突合せ面を越えて延びる部分において、他方のケースの側壁に溶着されていることを特徴とする請求項１、２または３記載の磁気テープカートリッジ。
【発明の詳細な説明】
【０００１】
【発明の属する技術分野】
本発明は、磁気テープを巻装した単一のリールがカートリッジケース内に回転可能に収容された磁気テープカートリッジ、特にそのカートリッジケースの構造に関するものである。
【０００２】
【従来の技術】
従来、コンピュータ等の外部記憶装置に用いられる記録媒体として使用される磁気テープカートリッジとして、磁気テープを巻装した単一のリールがカートリッジケース内に回転可能に収容されたタイプのものが知られている（例えば特許文献１、２、３参照）。
【０００３】
図１０は、この種の磁気テープカートリッジ１の全体を示す斜視図で、スライドドア１１を開いた状態を示している。上ケース２と下ケース３とが一体に固定されたカートリッジケース４の側壁には、テープ引出し用開口部１０が上下ケース２、３に跨がって、かつコーナー部に近接して形成されており、このテープ引出し用開口部１０には、開口部１０を開閉するスライドドア１１が摺動可能に設けられている。磁気テープ６はコンピュータ等のデータ保存用として用いられ、磁気テープ６の先端にはテープ引出し用のリーダピン５が固着され、この磁気テープカートリッジ１が記録再生装置に装着されたとき、記録再生装置側のピン保持部材がリーダピン５に係合して磁気テープ６をカートリッジケース４から引き出し、記録再生装置へのローディングを行ない、アンローディング時には、磁気テープ６がリール７に巻かれるとともに、ピン保持部材がリーダピン５をカートリッジケース４内に戻すように構成されている。
【０００４】
上記カートリッジケース４は、合成樹脂製の上ケース２と下ケース３とが例えば複数本のビスにより互いに締結されて一体化され（例えば特許文献２）、あるいは上下ケース２，３がそれらの側壁の突合せ面において超音波溶着により一体化されている（例えば特許文献３）。リーダピン５は、カートリッジケース４に設けられているテープ引出し用開口部１０の近傍において軸線を上下方向として上下ケース間に跨がって着脱自在に保持されているとともに、上記テープ引出し用開口部１０を開閉するスライドドア１１が閉位置に向かってバネ付勢されている。
【０００５】
【特許文献１】特開平１１−３０６７２２号公報
【０００６】
【特許文献２】特開２００１−１４８１７９号公報
【０００７】
【特許文献３】特開２００１−２６６５３３号公報
【０００８】
【発明が解決しようとする課題】
ところで、上記のような構成を有する磁気テープカートリッジ１においては、全体として四角のカートリッジケース４のコーナーの近傍にテープ引出し用開口部１０が形成されており、その開口部１０の内側のリーダピン５が収容されている位置の周囲には、テープ走行路と記録再生装置側のピン保持部材のリーダピン５への進入路とを確保するために空間を確保しなければならないため、上ケース２と下ケース３とを固定するビスを設けることができず、ビスはこの近辺を避けた位置に設けられている（例えば特許文献２）。したがって、カートリッジケース４のテープ引出し用開口部１０の近辺は開口部１０のために側壁がない上、ビスによる固定部がなく、さらにリーダピン５の誘い溝２０が下ケース３の底面に形成されているため、ケースの強度が弱くなっている。
【０００９】
磁気テープカートリッジ１の取扱いにおいては、カートリッジを床に落とすことも考えられ、そのような落下時にテープ引出し用開口部１０が形成されているコーナーが下になると、その強度が弱い部分が床に衝突して、ケース４がそこから割れたり、そこにひびが入ったりして、損傷する可能性が高い。
【００１０】
そこで、上ケースと下ケースの結合強度を向上させるため、上下ケースを超音波溶着することが考えられるが（例えば特許文献３）、上ケースと下ケースの突合せ面を単に溶着したのでは落下時に溶着された突合せ面が折れ目となって側壁が内側に折れ曲がったりして、充分な強度を得ることができない。
【００１１】
上述の事情に鑑み、本発明は、落下等の衝撃を受けたときでも、カートリッジケースのテープ引出し用開口部の近辺が損傷することのない、強度を向上させた磁気テープカートリッジを提供することを目的とするものである。
【００１２】
【課題を解決するための手段】
上記目的を達成するために、本発明による磁気テープカートリッジは、テープ引出し用開口部を側壁に備えた、上ケースおよび下ケースからなるカートリッジケース内に磁気テープを巻装した単一のリールが回動可能に収容された磁気テープカートリッジにおいて、上下ケースの突合せ面を溶着し、開口部近傍の上下ケースの側壁内面に、突合せ面を越えて上下方向に延びるリブを互い違いに設けたことを特徴とするものである。
【００１３】
上記リブは、上下ケースの一方に１本、他方にこの１本を挟むように２本設けられるが、さらに多くのリブを設けてもよい。
【００１４】
これらリブは、隣接するリブの側面同士が溶着されていること、および／または、突合せ面を越えて延びる部分において他方のケースの側壁に溶着されていることが好ましい。それにより、さらに強度を増すことができる。
【００１５】
【発明の効果】
本発明の磁気テープカートリッジによれば、上下ケースの突合せ面を溶着し、開口部近傍の各ケースの側壁内面に、突合せ面を越えて上下方向に延びるリブを互い違いに設けているので、溶着による固定に加えて互い違いに突合せ面を越えて延びた部分が開口部近傍の突合せ面の強度を増し、テープ走行路を邪魔することなしにケースの開口部近傍のコーナーにおける強度を大幅に増大させることができる。したがって、上下ケースのずれを防止することができるから、落下時等の衝撃により溶着部の剥がれが発生し難くなる。
【００１６】
また、上記リブが、開口部近傍の各ケースの側壁内面に設けられているので、溶着時に開口部近傍で発生する溶着ダストのケース内への侵入を防止することができる。
【００１７】
さらに、上記リブが、隣接するリブの側面同士で溶着されている場合、および／または、突合せ面を越えて延びる部分において他方のケースの側壁に溶着されている場合、ケースの開口部近傍のコーナーにおける強度をさらに増大させることができる。
【００１８】
【発明の実施の形態】
以下、図面に示す実施の形態に基づいて本発明を詳細に説明する。
【００１９】
図１は、本発明による磁気ディスクカートリッジの実施の形態における溶着以前の上ケースおよび下ケースの開口部近傍における側壁内面の構造を示す正面図、図２は上ケースの側壁の底面図、図３は下ケースの側壁の頂面図である。
【００２０】
上ケース２の側壁は、略垂直の外面２ａおよび内面２ｂと、下ケース３の側壁との突合せ面となる水平な底面２ｃを備え、かつ開口部近傍の内面２ｂには、底面２ｃを越えて下方に延びる先端部分１２ａをそれぞれ備えた２本のリブ１２，１２が所定の間隔をおいて一体に設けけられている。
【００２１】
また、下ケース３の側壁は、略垂直の外面３ａおよび内面３ｂと、上ケース２の側壁との突合せ面となる水平な頂面３ｃを備え、かつ開口部近傍の内面３ｂには、頂面３ｃを越えて上方に延びる先端部分１３ａを備えた１本のリブ１３が、上ケース２の２本のリブ１２，１２間に密着介入し得る態様で一体に設けられている。
【００２２】
図４は、上下ケースの突合せ面を溶着した後の開口部近傍における側壁内面の構造を示す正面図、図５および図６はそれぞれ、図４の５−５線および６−６線に沿った断面図である。
【００２３】
図４から明らかなように、３本のリブ１２，１３，１２の先端部分１２ａ，１３ａ，１２ａは、１本のリブ１３が２本のリブ１２，１２の間に挟まれた態様で、突合せ面Ｐを超えて上下方向に互い違いに延びている。この場合、突合せ面Ｐを超えて上方に延びるリブ部分１３ａの両側面が、両側のリブ１２，１２のそれぞれの一側面に面接触し、かつ、突合せ面Ｐを超えて下方に延びるリブ部分１２ａ，１２ａのそれぞれの一側面がリブ１３の両側面に面接触していることが好ましい。
【００２４】
また、図５および図６から明らかなように、突合せ面Ｐを超えて下方に延びるリブ部分１２ａ，１２ａが下ケース３の内面３ｂに面接触し、かつ突合せ面Ｐを超えて上方に延びるリブ部分１３ａが上ケース２の内面２ｂに面接触していることが好ましい。
【００２５】
このように、本実施の形態においては、突合せ面Ｐにおける上下ケース２，３の溶着による固定に加えて、互い違いに突合せ面Ｐを越えて延びている部分１２ａ，１３ａ，１２ａを備えたリブ１２，１３，１２が、開口部近傍に設けられているので、ケース４の開口部近傍のコーナーにおける強度を大幅に増大させることができる。
【００２６】
また、リブ１２，１３，１２が、開口部近傍の上下ケース２，３の側壁内面に設けられているので、溶着時に開口部近傍で発生する溶着ダストのケース４内への侵入を防止することができる。
【００２７】
図７〜図９は、ケース４の開口部近傍のコーナーにおける強度をさらに増大させるために、符号Ｍで示すように溶着部をさらに設けた構造を示す。すなわち、図７は図４に対応する正面図で、隣接するリブ１２，１３がそれらの側面同士で溶着されている構成を示す。
【００２８】
また、図８は図７の８−８線に沿う断面図で、上ケース２のリブ１２が、突合せ面Ｐを越えて延びる部分１２ａにおいて下ケース３の内面３ｂに溶着されている構成を示している。さらに、図９は図７の９−９線に沿う断面図で、下ケース３のリブ１３が、突合せ面Ｐを越えて延びる部分１３ａにおいて上ケース２の内面２ｂに溶着されている構成を示している。
【００２９】
すなわち、図７〜図９に示す構成の場合は、上下ケース２，３の突合せ面Ｐのみでなく、ずれ防止用のリブ１２，１３にも超音波溶着のためのエネルギー・ダイレクタ（ＥＤ）が設けられることになる（図示は省略）。
【００３０】
また、超音波溶着においては、溶着代のはみ出しが問題とされるが、リブ１２，１３が設けられている部位の側壁の突合せ面Ｐにおいては、側壁の厚みの中心よりもリブ側に近い位置に超音波溶着のためのＥＤを設けることにより、溶着代のはみ出しを防止することができる。
【００３１】
なお、本実施の形態においては、上ケース２に２本のリブ１２，１２を、下ケース３に１本のリブ１３を設けているが、これとは反対に、上ケース２に１本のリブ１２を、下ケース３に２本のリブ１３，１３を設けてもよく、さらに多くのリブを同様の態様で設けることにより、ケース４の開口部近傍のコーナーにおける強度をさらに増大させることができる。
【図面の簡単な説明】
【図１】本発明による磁気テープカートリッジの実施の形態における溶着以前の上ケースおよび下ケースの開口部近傍における側壁内面の構造を示す正面図
【図２】図１の上ケースの側壁の底面図
【図３】図１の下ケースの側壁の頂面図
【図４】図１の上下ケースの突合せ面を溶着した後の開口部近傍における側壁内面の構造を示す正面図
【図５】図４の５−５線に沿った断面図
【図６】図４の６−６線に沿った断面図
【図７】図１の上下ケースの突合せ面および隣接するリブの側面同士を溶着した後の図４に対応する正面図
【図８】図７の８−８線に沿った断面図
【図９】図７の９−９線に沿った断面図
【図１０】従来の磁気テープカートリッジの斜視図
【符号の説明】
１　　磁気テープカートリッジ
２　　上ケース
３　　下ケース
４　　カートリッジケース
１２，１３　　リブ
１２ａ、１３ａ　　突合せ面を越えて延びるリブ部分
【図１】
2004086946.tif 000003
【図２】
2004086946.tif 000004
【図３】
2004086946.tif 000005
【図４】
2004086946.tif 000006
【図５】
2004086946.tif 000007
【図６】
2004086946.tif 000008
【図７】
2004086946.tif 000009
【図８】
2004086946.tif 000010
【図９】
2004086946.tif 000011
【図１０】
2004086946.tif 000012